(57)【特許請求の範囲】
【請求項１】
第１整地体と、
この第１整地体に上下方向に回動可能に設けられ、左右方向端部に側板を有する第２整地体とを備え、
前記側板の後端部が、前記側板の前端部よりも内側方に位置する農作業機であって、
前記第２整地体の前記側板は、
前後方向に沿って位置する第１板部と、
この第１板部の後端部から後斜め内側方に向って位置する第２板部とを有する
ことを特徴とする農作業機。
【請求項２】
第１整地体と、
この第１整地体に上下方向に回動可能に設けられ、左右方向端部に側板を有する第２整地体とを備え、
前記側板の後端部が、前記側板の前端部よりも内側方に位置する農作業機であって、
前記第２整地体の前記側板は、
前後方向に沿って位置する第１板部と、
この第１板部の後端部から内側方に向って位置する第２板部と、
この第２板部の内側端部から後方に向って位置する第３板部とを有する
ことを特徴とする農作業機。
【請求項３】
第２整地体の側板は、１枚の板部材のみで構成されている
ことを特徴とする請求項１または２記載の農作業機。
【発明の詳細な説明】
【技術分野】
【０００１】
本発明は、第２整地体の側板が畦に当たって畦が崩れてしまうことを防止できる農作業機に関する。
【背景技術】
【０００２】
従来、例えば特許文献１に記載された代掻整地装置である農作業機が知られている。
【０００３】
この従来の農作業機は、走行車であるトラクタの後部に連結される機体と、機体に回転可能に設けられた耕耘体と、機体の耕耘体カバー部の後端部に上下方向に回動可能に設けられた第１整地体（均平板）と、第１整地体の後端部に上下方向に回動可能に設けられた第２整地体（レーキ）とを備えている。
【０００４】
そして、図８に示すように、第２整地体１は、左右方向長手状の整地本体板２と、整地本体板２の左右方向両端部に設けられ前後方向に沿って位置する平板状の側板（レーキ側板）３とを有している。
【先行技術文献】
【特許文献】
【０００５】
【特許文献１】特開２０００−１２５６０９号公報（図４）
【発明の概要】
【発明が解決しようとする課題】
【０００６】
しかしながら、上記従来の農作業機では、例えば第２整地体１が鉛直姿勢の土引き状態に固定された土引き作業時や、第２整地体１が鉛直姿勢から水平姿勢に姿勢変化する代掻き作業の開始時において、第２整地体１の側板３の後端部（下端部）3aが畦の側面部の下側に当たり、畦が崩れてしまうことがある。
【０００７】
本発明は、このような点に鑑みなされたもので、第２整地体の側板が畦に当たって畦が崩れてしまうことを防止できる農作業機を提供することを目的とする。
【課題を解決するための手段】
【０００８】
請求項１記載の農作業機は、第１整地体と、この第１整地体に上下方向に回動可能に設けられ、左右方向端部に側板を有する第２整地体とを備え、前記側板の後端部が、前記側板の前端部よりも内側方に位置する農作業機であって、前記第２整地体の前記側板は、前後方向に沿って位置する第１板部と、この第１板部の後端部から後斜め内側方に向って位置する第２板部とを有するものである。
【０００９】
請求項２記載の農作業機は、第１整地体と、この第１整地体に上下方向に回動可能に設けられ、左右方向端部に側板を有する第２整地体とを備え、前記側板の後端部が、前記側板の前端部よりも内側方に位置する農作業機であって、前記第２整地体の前記側板は、前後方向に沿って位置する第１板部と、この第１板部の後端部から内側方に向って位置する第２板部と、この第２板部の内側端部から後方に向って位置する第３板部とを有するものである。
【００１０】
請求項３記載の農作業機は、請求項１または２記載の農作業機において、第２整地体の側板は、１枚の板部材のみで構成されているものである。
【発明の効果】
【００１１】
請求項１に係る発明によれば、第２整地体の側板の後端部が側板の前端部よりも内側方に位置する構成であるため、第２整地体の側板が畦に当たって畦が崩れてしまうことを防止でき、また、第２整地体の側板が前後方向に沿って位置する第１板部とこの第１板部の後端部から後斜め内側方に向って位置する第２板部とを有する構成であるため、第２整地体の側板が畦に当たって畦が崩れてしまうことを適切に防止できる。
【００１２】
請求項２に係る発明によれば、第２整地体の側板の後端部が側板の前端部よりも内側方に位置する構成であるため、第２整地体の側板が畦に当たって畦が崩れてしまうことを防止でき、また、第２整地体の側板が前後方向に沿って位置する第１板部とこの第１板部の後端部から内側方に向って位置する第２板部とこの第２板部の内側端部から後方に向って位置する第３板部とを有する構成であるため、第２整地体の側板が畦に当たって畦が崩れてしまうことを適切に防止できる。
【００１３】
請求項３に係る発明によれば、第２整地体の側板が１枚の板部材のみで構成されているので、構成が簡単で、製造性が良好である。
【図面の簡単な説明】
【００１４】
【図１】本発明の一実施の形態に係る農作業機の平面図である。
【図２】同上農作業機の側面図である。
【図３】同上農作業機の延長整地体の展開状態を示す平面図である。
【図４】同上農作業機の延長整地体の折畳状態を示す平面図である。
【図５】同上農作業機の土引き作業時における第２整地体の背面図である。
【図６】本発明の他の実施の形態に係る農作業機の土引き作業時における第２整地体の背面図である。
【図７】本発明の関連技術に係る農作業機の土引き作業時における第２整地体の背面図である。
【図８】従来の農作業機の土引き作業時における第２整地体の背面図である。
【発明を実施するための形態】
【００１５】
本発明の一実施の形態を図面を参照して説明する。
【００１６】
図１および図２において、10は農作業機で、この農作業機10は、例えば走行車であるトラクタ（図示せず）の後部に連結して使用する代掻き機（代掻整地装置）である。
【００１７】
農作業機10は、トラクタの後部に連結された状態で、水田等の圃場においてトラクタの前進走行により進行方向である前方に向って移動しながら代掻き作業および土引き作業を選択的に行うものである。
【００１８】
なお、図２には、農作業機10がキャスタ付のスタンド９にて支持された状態が示されており、代掻き作業や土引き作業の作業時には、スタンド９は、取り外されるか或いは作業の邪魔にならないよう上下反転した状態に取り付けられる。
【００１９】
農作業機10は、図１および図２に示されるように、トラクタの後部の３点リンク部（作業機昇降装置）に連結される機体11を備えている。
【００２０】
機体11は、左端部にチェーンケース部12を有し、右端部にブラケット部13を有し、これら左右のチェーンケース部12およびブラケット部13間には、入力軸14側からの動力で所定方向に回転しながら耕耘作業をするロータリ式の耕耘体16が回転可能に設けられている。
【００２１】
耕耘体16は、左端部がチェーンケース部12にて回転可能に支持されかつ右端部がブラケット部13にて回転可能に支持された左右方向長手状の回転軸17と、この回転軸17に放射状に突設された複数の耕耘爪18とを有している。回転軸17は、チェーンケース部12内のチェーンおよびフレームパイプ部15内の伝動シャフト等からなる動力伝達手段（図示せず）を介して入力軸14に接続されている。入力軸14は、トラクタのＰＴＯ軸にジョイント等からなる動力伝達手段（図示せず）を介して接続される。
【００２２】
また、機体11は、耕耘体16を覆う耕耘体カバー部であるカバー部19を有している。そして、カバー部19の後端部には、代掻き作業時においては耕耘体16の後方で圃場面に追従するように機体11に対して上下方向に回動しながら整地作業をする整地体21が弾性板であるゴム板22を介して上下方向に回動可能に設けられている。
【００２３】
整地体21は、機体11のカバー部19の後端部に左右方向の軸26を中心として上下方向に回動可能に設けられた左右方向長手状で略板状の第１整地体（均平板）23と、この第１整地体23の後端部に左右方向の軸27を中心として上下方向に回動可能に設けられ第１整地体23と略同一の作業幅（左右方向長さ寸法）を持つ左右方向長手状で略板状の第２整地体（レーキ）24とを有している。
【００２４】
そして、第１整地体23および第２整地体24を機体11に対して上下回動が許容される代掻き作業状態（フリー状態）と機体11に対して固定される土引き作業状態（ロック状態）とに選択的に設定する整地体設定手段20が、機体11と第２整地体24とに亘って位置するように設けられている。
【００２５】
整地体設定手段20は、例えば操作レバー（図示せず）を有し、作業者が操作レバーを土引き位置に切り換えると、第１整地体23および第２整地体24が土引き作業状態に設定され、第１整地体23が機体11に対して固定されかつ第２整地体24が第１整地体23に対して固定される。このとき、第２整地体24は、前端部が上端部となりかつ後端部が下端部となるように鉛直面に略沿って位置する鉛直姿勢の土引き状態に固定される。そして、土引き作業時においては、第２整地体24は、鉛直姿勢の土引き状態に固定されたまま、土引き作業（整地作業）をする（図２の実線で示す状態）。
【００２６】
また、作業者が操作レバーを代掻き位置に戻せば、第１整地体23および第２整地体24は代掻き作業状態に戻ることが可能となる。そして、代掻き作業時においては、第２整地体24は、水平面に略沿って位置する水平姿勢の代掻き作業状態で、圃場面に追従するように上下方向に回動しながら代掻き作業（整地作業）をする（図２の２点鎖線で示す状態）。
【００２７】
なお、整地体設定手段20は、操作レバーを有さず、電動リモコン等の遠隔操作手段の操作に基づいてトラクタからの油圧等で第１整地体23および第２整地体24が代掻き作業状態および土引き作業状態に設定される構成でもよい。
【００２８】
また、第２整地体24の左右方向両端部には、第２整地体24の左右方向端部から外側方に向って突出してこの第２整地体24の左右方向長さを延長した状態で、この第２整地体24とともに代掻き作業をする左右１対の略板状の延長整地体（延長レーキ）31が前後方向の軸32を中心として上下方向に回動可能に設けられている。
【００２９】
この延長整地体31は、第２整地体24の左右方向端部に軸32および軸支持板35，36，37を介して回動可能に連結されている。また、この延長整地体31の状態を保持するための状態保持用の付勢手段として引張ばねであるコイルばね33の一端部が第２整地体24の左右方向端部の側板40に取り付けられ、このコイルばね33の他端部が延長整地体31のばね取付部34に取り付けられている。
【００３０】
そして、延長整地体31は、図３に示すように、最大作業幅で代掻き作業をする代掻き作業時には、軸32を中心とする展開方向への略１８０度回動により第２整地体24の左右方向端部から外側方に向って突出する作業状態（展開状態）に設定され、コイルばね33の付勢力でその所望の作業状態に保持される。
【００３１】
また、延長整地体31は、図４に示すように、土引き作業時および非作業時には、軸32を中心とする折畳方向への略１８０度回動により第２整地体24上にこの第２整地体24と重なり合うように位置する非作業状態（折畳状態）に設定され、コイルばね33の付勢力でその所望の非作業状態に保持される。また、延長整地体31は、土引き作業時および非作業時のほか、畦付近で代掻き作業を行う場合においても、非作業状態に設定される。
【００３２】
なお、延長整地体31の状態の切換えは、作業者の手作業による人力で行われるものでもよく、モータ等の駆動手段からの動力で行われるものでもよい。
【００３３】
ここで、第２整地体24は、図１ないし図４に示されるように、第１整地体23と略同一の作業幅を持つ左右方向長手状の整地本体板41と、この整地本体板41の左右方向両端部にこの整地本体板41に対して直交状に立設された１枚の折曲板状の側板40とを有している。つまり、互いに離間対向する左右１対をなす１枚板状の側板40が、整地本体板41の長手方向端部に溶接等により固設されている。なお、側板40の前後方向長さ寸法と整地本体板41の前後方向長さ寸法とは略同じである。
【００３４】
整地本体板41の後端部は、泥土を後方にスムーズに排出できるように、例えば凸凹状に形成されている。
【００３５】
また、左右の各側板40は、左右対称形状のもので、いずれも例えば前後方向中間の１箇所（前後方向中央より後側の１箇所）の折曲部43のみで鋭角に折り曲げられた例えば金属製の１枚の板部材42のみで構成されている。なお、折曲部43の位置は、前後方向中央より後側の位置には限定されず、前後方向中央位置や、前後方向中央より前側の位置でもよい。
【００３６】
つまり、第２整地体24が左右方向端部に有する側板40は、前後方向に沿って位置する第１板部46と、この第１板部46の後端部から折曲部43の折り曲げにより後斜め内側方に向って一体に位置する第２板部47とを有している。このため、第２整地体24の代掻き作業状態時つまり水平姿勢時には、平面視で、側板40の後端部が、側板40の前端部よりも内側方（内側である第２整地体24の左右方向中心側）に位置する。
【００３７】
なお、側板40の折曲部43の折曲角度θ、つまり第１板部46と第２板部47とがなす角度θは、例えば１０度〜４５度、好ましくは略２０度である。つまり、この角度θは、畦の側面部（畦側面）の上下方向に対する傾斜角度と同じ角度か、それよりも僅かに大きな角度であることが好ましい。
【００３８】
また、図２から明らかなように、側面視で第２整地体24の鉛直状の側板40の第１板部46の前端部が第１整地体23の鉛直状の側板23aの後端部と重なり、これら側板40の前端部と側板23aの後端部とが軸27を介して回動可能に連結されている。
【００３９】
さらに、第２整地体24の側板40の第２板部47の上側中央部にはばね用孔部48が形成され、このばね用孔部48にコイルばね33の一端部が取り付けられている。同様に、延長整地体31のばね取付部34にはばね用孔部49が形成され、このばね用孔部49にコイルばね33の他端部が取り付けられている。
【００４０】
次に、農作業機10の作用等を説明する。
【００４１】
例えば農作業機10を使用して最大作業幅で代掻き作業をする場合は、第１整地体23および第２整地体24を代掻き作業状態に設定し、かつ、左右の延長整地体31を作業状態に設定する。
【００４２】
そして、圃場においてトラクタの前進走行により農作業機10を進行方向前方に移動させると、耕耘体16にて耕耘作業が行われ、この耕耘体16の後方で、第１整地体23と、水平姿勢の第２整地体24および延長整地体31とにて代掻き作業が行われる。
【００４３】
なお、畦付近（畦際）で代掻き作業を行う際には、左右の延長整地体31を第２整地体24上に折り畳むことにより非作業状態に設定し、水平姿勢の第２整地体24のみで代掻き作業を行う。
【００４４】
また、農作業機10を使用して土引き作業をする場合は、第１整地体23および第２整地体24を土引き作業状態に設定し、かつ、左右の延長整地体31を非作業状態に設定する。
【００４５】
そして、圃場においてトラクタの前進走行により農作業機10を進行方向前方に移動させると、上下方向に略沿った鉛直姿勢の第２整地体24にて土引き作業が行われる。つまり、前端部が上端部となりかつ後端部が下端部となるように、第１整地体23に対して回動して土引き状態に設定固定された鉛直姿勢の第２整地体24によって、土引き作業が行われる。
【００４６】
ここで、図５に示すように、畦付近で土引き作業をする場合であっても、第２整地体24の側板40の下端部40aとなっている後端部が、側板40の上端部40bとなっている前端部よりも内側方（反畦側）に位置するため、第２整地体24の側板40の後端部が畦の側面部の下側に当たることはなく、第２整地体24の側板40で畦を崩すようなことがない。
【００４７】
なお、同様に、畦付近における、第２整地体24が鉛直姿勢から水平姿勢に姿勢変化する代掻き作業の開始時においても、第２整地体24の側板40の後端部が畦の側面部の下側に当たることはなく、第２整地体24の側板40で畦を崩すようなことがなく、また、畦付近における代掻き作業途中でのトラクタによる旋回時においても、水平姿勢の第２整地体24の側板40の後端部が畦の側面部に当たることはなく、第２整地体24の側板40で畦を崩すようなことがない。
【００４８】
そして、このような農作業機10によれば、第２整地体24の側板40の後端部が側板40の前端部よりも内側方に位置する構成であるため、第２整地体24の側板40が畦に当たって畦が崩れてしまうことを防止でき、また、例えば第２整地体24の側板40がコンクリート製の畦等に当たってその側板40が破損してしまうことを防止できる。
【００４９】
また、第２整地体24の側板40が前後方向に沿って位置する第１板部46とこの第１板部46の後端部から後斜め内側方に向って位置する第２板部47とを有する構成であるため、第２整地体24の側板40が畦に当たって畦が崩れてしまうことを適切かつ効果的に防止できる。
【００５０】
さらに、第２整地体24の側板40が１枚の板部材42のみで構成されているので、複数枚の板部材を溶接等で連結した構成した場合に比べて、部品点数が少なく、構成が簡単で、製造性が良好である。
【００５１】
なお、第２整地体24の側板40は、図５に示すような前後方向に沿って位置する第１板部46とこの第１板部46の後端部から後斜め内側方に向って位置する第２板部47とを有するものには限定されず、例えば図６に示すものであっても、図５のものと同様の作用効果を奏し得る。
【００５２】
この図６に示す第２整地体24の側板40は、前後方向中間の２箇所（前後方向中央より後側の２箇所）の折曲部43a，43bのみでそれぞれ略直角に折り曲げられた例えば金属製の１枚の板部材42のみで構成されている。なお、折曲部43a，43bの位置は、前後方向中央より後側の位置には限定されず、前後方向中央位置や、前後方向中央より前側の位置でもよい。
【００５３】
つまり、この第２整地体24の側板40は、前後方向に沿って位置する第１板部51と、この第１板部51の後端部から折曲部43aの折り曲げにより内側方に向って一体に位置する第２板部52と、この第２板部52の内側端部から折曲部43bの折り曲げにより後方に向って一体に位置する第３板部53とを有している。このため、第２整地体24の代掻き作業状態時（水平姿勢時）には、平面視で、側板40の後端部が、側板40の前端部よりも内側方（内側である第２整地体24の左右方向中心側）に位置する。
【００５４】
そして、第２整地体24の土引き作業状態時（鉛直姿勢時）、代掻き作業の開始時や代掻き作業途中での旋回時等には、側板40の後端部（下端部）が側板40の前端部（上端部）よりも内側方に位置するため、第２整地体24の側板40の後端部（下端部）が畦の側面部に当たることはなく、第２整地体24の側板40で畦を崩すようなことがない。
【００５５】
また、第２整地体24の側板40は、例えば図７に示すものであっても、図５のものと同様の作用効果を奏し得る。
【００５６】
この図７に示す第２整地体24の側板40は、上述した折曲板状のものとは異なり、平板状のもので、例えば折り曲げられていない真直ぐな金属製の１枚の板部材42のみで構成されている。
【００５７】
つまり、この第２整地体24の側板40は、前端部から後端部に向って徐々に内側方に向うように、すなわち例えば畦の側面部と略平行になるように、その側板40の全体が前後方向（図に示すＡ線に沿った方向）に対して傾斜した方向に沿って位置する。このため、第２整地体24の代掻き作業状態時（水平姿勢時）には、平面視で、側板40の後端部が、側板40の前端部よりも内側方（内側である第２整地体24の左右方向中心側）に位置する。
【００５８】
そして、第２整地体24の土引き作業状態時（鉛直姿勢時）、代掻き作業の開始時や代掻き作業途中での旋回時等には、側板40の後端部（下端部）が側板40の前端部（上端部）よりも内側方に位置するため、第２整地体24の側板40の後端部（下端部）が畦の側面部に当たることはなく、第２整地体24の側板40で畦を崩すようなことがない。
【００５９】
なお、側板40の前後方向に対する傾斜角度θ、つまり板部材42とＡ線とがなす角度θは、例えば１０度〜４５度、好ましくは略２０度である。つまり、この角度θは、畦の側面部（畦側面）の上下方向に対する傾斜角度と同じ角度か、それよりも僅かに大きな角度であることが好ましい。
【００６０】
さらに、第２整地体24の側板40は、例えば前後方向中間の３箇所以上の折曲部で折り曲げられた１枚の板部材のみで構成されたものや、後端部が円弧状或いは湾曲状に曲げられた曲板状の１枚の板部材のみで構成されたもの等でもよい。
【００６１】
また、延長整地体31の回動中心軸である軸32が側板40よりも内側方に配設された構成には限定されず、例えば側板40の上方に配設された構成でもよく、この場合、折畳状態の延長整地体31の角部で畦を崩さないよう、延長整地体31の内端部後側の角部を側板40の形状に対応させるように切り欠く必要がある。
【００６２】
さらに、農作業機10は、例えば延長整地体31を有しない構成でもよく、また例えば３分割式の折り畳み可能な構成でもよい。
【符号の説明】
【００６３】
10    農作業機
23    第１整地体
24    第２整地体
40    側板
42    板部材
46，51    第１板部
47，52    第２板部
53    第３板部
【図１】
0005437827.tif 000002
【図２】
0005437827.tif 000003
【図３】
0005437827.tif 000004
【図４】
0005437827.tif 000005
【図５】
0005437827.tif 000006
【図６】
0005437827.tif 000007
【図７】
0005437827.tif 000008
【図８】
0005437827.tif 000009